(57)【特許請求の範囲】
【請求項１】
踵骨から中足骨へと至る足裏面の大きさに略対応する大きさが付与されてなる薄板状の可撓性樹脂成型体により形成される矯正中敷きであって、踵部との対面部位には、踵部を安定的に載置するための凹面部を設け、横足根関節近傍の踵骨部分が位置する足裏部を支持する部位の下面側には、１ｃｍ程度の幅を有する第１厚肉部をその横幅方向に隆設し、該第１厚肉部から中足骨の基端側対面部位へと至る足裏部の足弓部との対面部位には、
未使用時の矯正中敷きを水平面に置いた際に頂面高さの最も高い内側縁側が水平面から２０ｍｍ程度で、最も低い外側縁側が水平面から１８ｍｍ程度となるようにその長さ方向に沿って上方に大きく突曲させて足弓部の曲面形状に沿って常に歩行者の足裏を支えるべく当接して一体感を伴うように追随自在としたアーチ部を設け、
該アーチ部にあって中足骨の基端側中央部分が位置する足裏部との対面部位には、さらに上方に突出するドーム部を設け、該ドーム部の外縁部から可撓性樹脂成型体の先端部側へと至る第５中足骨部分が位置する足裏部を支持する部位の下面側には、外側縁から近傍側縁部へと略円弧状に広がる第２厚肉部を隆設したことを特徴とする矯正中敷き。
【請求項２】
前記可撓性樹脂成型体は、内側縁から外側縁へと次第にその肉厚が相対的に厚くなるようにして形成したことを特徴とする請求項１に記載の矯正中敷き。
【請求項３】
前記矯正中敷きは、裏面における基端側と先端側との少なくともいずれか一方の側に面ファスナーを付設したことを特徴とする請求項１または２に記載の矯正中敷き。
【請求項４】
請求項１または２に記載の可撓性樹脂成型体と、該可撓性樹脂成型体を覆って一体化する被覆体とで形成したことを特徴とする靴用中敷き。
【請求項５】
前記矯正中敷きは、裏面における基端側と先端側との少なくともいずれか一方の側に面ファスナーを付設したことを特徴とする請求項４に記載の矯正中敷き。
【発明の詳細な説明】
【０００１】
【発明の属する技術分野】
本発明は矯正中敷きに係り、さらに詳しくは、靴の内底に敷き込んで歩行時における足と靴との一体感を高めることにより、バランスのとれた正しい歩行ができるばかりでなく、同一人が所有する靴であればその種類を問わずに使用できる矯正中敷きに関する。
【０００２】
【従来の技術】
人間は、足の裏を地面に着けて歩いたり、走ったり、飛び跳ねたりして二本足で行動する際、前後左右方向と上下方向とに対し常にバランスをとり続けることが要求される。
【０００３】
人間の足は、このようなバランスを保持する上での身体全体の土台としての役割を担っているにもかかわらず、あまり関心が払われていない。
【０００４】
また、人間は、個々の体形が異なっており、身体の力学的な構造に歪みがあると、標準的なバランス状態から外れるバランス上の狂いを生じさせ、これが原因となって種々の身体的な障害を引き起こすことになり、特に、足裏の接地状態の如何が身体全体の歪みと深く関わっていることが知られるようになってきている。
【０００５】
このため、従来より足裏の着地時におけるバランスをよくしたり、歩行時における足と靴との一体化を図ることなどを意図して、例えば図５と図６として示すような矯正中敷きがすでに提供されている。
【０００６】
このうち、図５に示す矯正中敷き１は、足３１の足裏３２面の全体を支える大きさを有するものであり、下面２の側が水平な地面に対し密接し、上面３の側が足裏３２の凹凸形状に合致する凹凸曲面４を有して形成されている。また、図６に示す矯正中敷き５は、つま先３８の側を除く足裏３２を支える大きさを有するものであり、図５の矯正中敷き１と同様に下面６の側が水平な地面に対し密接し、上面７の側が足裏４２の凹凸形状に合致する凹凸曲面８を有して形成されている。
【０００７】
このため、縦断面が土台形状を呈している矯正中敷き１と矯正中敷き５とは、そのいずれもが靴の内底上に定置することにより、立ち止まっているときには凹凸曲面４，８により足裏３２を安定的に下支えさせることができる。
【０００８】
【発明が解決しようとする課題】
しかし、これら矯正中敷き１，５は、そのいずれもが歩行のため足３１を上げた際に足裏３２が上面３，６から離れ、着地後に足裏３２が凹凸曲面４，８に再び下支えされるというサイクルを繰り返すため、歩行時に違和感を感じさせる不都合があったほか、その厚さが比較的に厚いこともあって、パンプスのように靴自体の深さが比較的浅い場合には敷き込むことができないという不具合もあった。
【０００９】
また、上記した矯正中敷き１，５は、使用者本人が所有する複数足の靴のなかから適合する特定の一足を選んだり、特別に専用の靴を誂えたりした上で、当該靴に合致するように形成したその靴限りという制約があり、使用者本人であっても自分が所有する他の靴に敷き込んで使用することができない不便さと不経済さとがあった。
【００１０】
本発明は従来タイプの矯正中敷きにみられた上記課題に鑑み、歩行時における足と靴との一体感を高めてバランスのとれた正しい歩行ができ、しかも、敷き込んで使用できる靴も自分の靴でさえあれば特に制限のないように汎用性を高めた矯正中敷きを提供することを目的とする。
【００１１】
【課題を解決するための手段】
本発明は上記目的を達成すべくなされたものであり、そのうちの第１の発明は、踵骨から中足骨へと至る足裏面の大きさに略対応する大きさが付与されてなる薄板状の可撓性樹脂成型体により形成される矯正中敷きであって、踵部との対面部位には、踵部を安定的に載置するための凹面部を設け、横足根関節近傍の踵骨部分が位置する足裏部を支持する部位の下面側には、１ｃｍ程度の幅を有する第１厚肉部をその横幅方向に隆設し、該第１厚肉部から中足骨の基端側対面部位へと至る足裏部の足弓部との対面部位には、未使用時の矯正中敷きを水平面に置いた際に頂面高さの最も高い内側縁側が水平面から２０ｍｍ程度で、最も低い外側縁側が水平面から１８ｍｍ程度となるようにその長さ方向に沿って上方に大きく突曲させて足弓部の曲面形状に沿って常に歩行者の足裏を支えるべく当接して一体感を伴うように追随自在としたアーチ部を設け、該アーチ部にあって中足骨の基端側中央部分が位置する足裏部との対面部位には、さらに上方に突出するドーム部を設け、該ドーム部の外縁部から可撓性樹脂成型体の先端部側へと至る第５中足骨部分が位置する足裏部を支持する部位の下面側には、外側縁から近傍側縁部へと略円弧状に広がる第２厚肉部を隆設したことに構成上の特徴がある。この場合、前記可撓性樹脂成型体は、内側縁から外側縁へと次第にその肉厚が相対的に厚くなるようにして形成するのが望ましい。
【００１２】
一方、第２の発明は、第１の発明に係る可撓性樹脂成型体と、該可撓性樹脂成型体を覆って一体化する被覆体とで形成したことに構成上の特徴がある。
【００１３】
また、矯正中敷きは、上記第１の発明と第２の発明とのいずれにおいても、裏面における基端側と先端側との少なくともいずれか一方の側に面ファスナーを付設しておくのが好ましい。
【００１４】
【発明の実施の形態】
図１は、本発明のうちの第２の発明に係る矯正中敷き１１を足４１と靴５１との配置関係のもとで例示する平面図である。また、図２における（イ）は図１のＡ−Ａ線横断面図を、（ロ）は同Ｂ−Ｂ線横断面図を、（ハ）は同Ｃ−Ｃ線横断面図を、（ニ）は同Ｄ−Ｄ線横断面図を、（ホ）は同Ｅ−Ｅ線横断面図を、（ヘ）は同Ｆ−Ｆ線横断面図を、（ト）は同Ｇ−Ｇ線縦断面図をそれぞれ示す。さらに、図３は、パンプスを例とする靴５１に対する矯正中敷き１１と足４１との間の具体的な配置関係を示す説明図である。
【００１５】
これらの図によれば、矯正中敷き１１は、足３１における踵骨から中足骨へと至る部位の足裏３２面の大きさに略対応する大きさを有し、内側縁１５から外側縁１６へと次第にその肉厚が相対的に厚くなるようにポリプロピレンを一体成型してなる薄板状の可撓性樹脂成型体１２と、該可撓性樹脂成型体１２の全体を覆って一体化する例えば合成皮革や天然皮革などからなる被覆体２５とで、その表面１１ａにて足裏３２の対面部位を下支えできるようにして形成されている。なお、可撓性樹脂成型体１２は、ポリプロピレン以外にも、例えばポリエチレン，ポリカーボネイト，軟質塩化ビニルなど、弾性や耐久性等を考慮して定まる適宜の合成樹脂材を用いて一体成型して形成することもできる。
【００１６】
この場合、可撓性樹脂成型体１２にあって、基端部１２ａ側に位置する踵部３３との対面部位には、該踵部３３を安定的に載置するための凹面部１７が図２（イ）に示すように内側縁１５ａから外側縁１６ａへと、例えば内側縁１５ａ側が１ｍｍ程度で、外側縁１６ａ側が２ｍｍ程度となるように次第にその肉厚を相対的に厚くした、比較的深い曲面形状を呈して形成されている。
【００１７】
また、横足根関節近傍の踵骨部分が位置する足裏部３４を支持する部位の下面１４側には、１ｃｍ程度の幅を有するの第１厚肉部１８がその横幅方向にの全体にわたり隆設されている。該第１厚肉部１８は、内側縁１５ｂから外側縁１６ｂへと、例えば内側縁１５ｂ側が２．５ｍｍ程度で、外側縁１６ｂ側が４．５ｍｍ程度となるように次第にその肉厚が相対的に厚くなっており、しかも、図２（ロ）に示すように比較的緩やかな曲面形状を呈している。
【００１８】
さらに、第１厚肉部１８から中足骨の基端側が位置する部位へと至る足弓部３５との対面部位には、図２（ト）の縦断面図からも明らかなように、長さ方向に沿って、その始端１９ａ側から終端１９ｂ側にかけて上方に大きく突曲させたアーチ部１９が設けられている。この場合におけるアーチ部１９の突曲の程度は、未使用の矯正中敷き１１を水平面に置いたとき、最も高い内側縁１５ｄの側の頂面高さが例えば水平面から２０ｍｍ程度で、最も低い外側縁１６ｄの側の頂面高さが例えば水平面から１８ｍｍ程度となって形成されている。
【００１９】
この場合、アーチ部１９にあって第１厚肉部１８の近傍に位置する部位は、図２（ハ）に示すように内側縁１５ｃから外側縁１６ｃにかけて次第にその肉厚が相対的に厚くなっている。また、アーチ部１９の高さが最も高くなっている部位も図２（ニ）に示すように内側縁１５ｄから外側縁１６ｄにかけて次第にその肉厚が相対的に厚くなっている。
【００２０】
しかも、アーチ部１９にあって中足骨の基端側中央部分が位置する足裏部３６との対面部位には、例えば最も高い頂面までの高さがさらに４ｍｍ程度高くなるようにさらに上方へと突出させた略卵形等の非円形を呈するドーム部２１が設けられている。
【００２１】
また、外側縁１６寄りのドーム部２１の外縁部２１ａから可撓性樹脂成型体１２の先端部１２ｂへと至る第５中足骨部分が位置する足裏を支持する部位の下面１４側には、外縁側１６側から近傍側縁部１２ｃへと略円弧状に広がる第２厚肉部２２が隆設されている。
【００２２】
図２（ホ）は、ドーム部２１近傍における第２厚肉部２２を含む横断面構造を示すものであり、内側縁１５ｅからドーム部２１を経た後の外縁部２１ａと外側縁１６ｅとの間に厚さが３ｍｍ程度の第２厚肉部２２が形成されている。また、図２（ヘ）は、可撓性樹脂成型体１２の先端部１２ｂ側における第２厚肉部２２を含む横断面構造を示すものであり、内側縁１５ｆから外側縁１６ｆ方向に向かって１ｍｍ程度の肉厚をそなえており、外側縁１６ｆと近傍側縁部１２ｃとの間に厚さが３ｍｍ程度の第２厚肉部２２が形成されている。
【００２３】
このようにして一体形成された可撓性樹脂成型体１２に対しては、被覆体２５を構成する上面被覆部２６を上面１３側に、下面被覆部２７を下両１４側に配置し、その全体を接合固着して一体化することにより矯正中敷き１１の全体が形成される。
【００２４】
一方、第１の発明は、第２の発明における可撓性樹脂成型体１２のみでその全体を形成するものであり、細部構造は、第２の発明を構成している可撓性樹脂成型体１２と同一なので、その図示と説明とを省略する。
【００２５】
また、第１の発明と第２の発明とのいずれにおいても、裏面１１ｂにおける基端側と先端側との少なくともいずれか一方の側には、面ファスナー２９を付設しておくのが好ましい。この場合、第１の発明においては可撓性樹脂成型体の裏面に、第２の発明においては、可撓性樹脂成型体１２を覆って一体化する被覆体２５における下面被覆部２７の表出面（裏面１１ｂ）にフックテープ部２９ａの側を貼着し、該フックテープ部２９ａにループテープ部２９ｂの側を掛着させることにより面ファスナー２９が付設されることになる。また、面ファスナー２９は、図示例のように裏面１１ｂにおける基端側と先端側との双方に各別に付設しておくのがより好ましい。さらに、矯正中敷き１１には、図示例のように蒸れを防止する上で有効な適宜の位置に１以上の通孔２８を設けておくのが望ましいが、通孔２８を設けないものであってもよい。
【００２６】
本発明はこのようにして構成されているので、これを使用するに際しては、すでに矯正中敷き１１に付設されている面ファスナー２９のうちからループテープ部２９ｂの側を引き離し、該ループテープ部２９ｂを靴Ｓの内底の所定位置に貼着した上で、矯正靴用中敷き１１に貼着されているフックテープ部２９ａを対応する位置にあるループテープ部２９ｂに掛着することにより、矯正中敷き１１を位置ずれが生じないようにして靴Ｓの中に敷き込むことができる。なお、矯正中敷き１１の裏面１１ｂにおける基端側と先端側との面ファスナー２９が各別に付設されている場合には、位置ずれの発生をより効果的に阻止して靴Ｓの中に敷き込むことができる。
【００２７】
次いで、靴Ｓの中に足３１を入れ、矯正中敷き１１上に足裏３２を置くことにより、該矯正中敷き１１におけるアーチ部１９が歩行者の足裏３２における足弓部３５の曲面形状に追随するようにして下方に撓む。つまり、矯正中敷き１１は、アーチ部１９が図４に示すように足弓部３５の曲面形状に沿って当接する配置関係のもとで常に歩行者の足裏３２を支える結果、矯正中敷き１１を介して靴Ｓと足３１とを違和感なく一体化させることができる。
【００２８】
このため、歩行者は、体重移動を伴って地面に対する靴Ｓ（足裏３２）の接離を繰り返すことにより行われる歩行運動中、そのすべての段階において靴Ｓと足３１との間に好ましい一体感を得ることができる。
【００２９】
しかも、歩行者が踵部３３を着地させる際には、足３１が外側に流れる傾向にあるため、靴Ｓの中で踵部３３が滑り易くなる。特に、ヒールの高い靴Ｓを履く場合には、その傾向がとりわけ顕著になる。しかし、矯正中敷き１１は、第１厚肉部１８を備えているので、踵骨を含む踵部４３に位置する骨を凹面部１７上にて安定的に支えて靴Ｓの中での踵部４３の滑りをなくすることができる。
【００３０】
さらに、歩行者が踵部３３を着地させた後、足裏３２の全体を接地させ、次の歩行に入るためにつま先３８を蹴りあげることになる。この一連の動作においても、足３１が外側に流れる傾向にあり、この外側に流れる角度が大きければ大きいほど、人体に好ましくない問題を引き起こす。しかし、矯正中敷き１１は、第２厚肉部２２を備えているので、第５指の側に位置する第５中足骨部位を下支えして外側に流れようとする動きを止めることができる。また、可撓性樹脂成型体１２が内側縁１５から外側縁１６へと次第にその肉厚が相対的に厚くなるようにして形成されている場合には、足３１が外側に流れようとする動きをより効果的に止めることができる。
【００３１】
しかも、矯正中敷き１１は、ドーム部２１を有しているので、該ドーム部２１に中足骨の基端側中央部分が位置する足裏部３７を当接させることにより、つま先３８で蹴りあげる際につま先３８に大きな負担をかけることなく足裏部３７を支持させることができる。
【００３２】
つまり、歩行者は、矯正中敷き１１を用いることにより、足３１の骨格の弱い部位を支持しながら、体重移動をスムーズにしてバランスのとれた正常な歩行ができるので、外反拇趾などの足指の変形のほか、膝痛や腰痛、肩こりなどの身体の歪みに起因する諸症状の改善に有効に寄与させることができる。
【００３３】
さらに、矯正中敷き１１は、その肉厚を薄くして形成されているので、パンプスのように靴自体の深さが比較的浅い靴に敷き込んでも円滑に足３１を入れて履くことができる。さらにまた、矯正中敷き１１は、歩行を繰り返すうちに自己の足裏３２の形状に馴染んだ面形状に変形させることができるので、歩行者自身の靴でさえあればその種類を問うことなく同一の矯正中敷き１１をその日に履く靴に敷き込んで用いることができ、経済的である。
【００３４】
本発明において矯正中敷き１１が可撓性樹脂成型体１２と被覆体２５とで形成されている場合には、該被覆体２５により足裏３２の滑りを効果的に止めることができ、靴Ｓの履き心地をより好ましいものとすることができる。
【００３５】
また、本発明の矯正中敷き１１が通孔２８を有している場合には、靴Ｓの中の蒸れを軽減して使用することができる。
【００３６】
【発明の効果】
以上述べたように本発明によれば、矯正中敷きを靴の内底に敷き込んだ後、足を入れ、矯正中敷き上に足裏を置くことにより、未使用時の矯正中敷きを水平面に置いた際に頂面高さの最も高い内側縁側が水平面から２０ｍｍ程度で、最も低い外側縁側が水平面から１８ｍｍ程度となるようにその長さ方向に沿わせて上方に大きく突曲させてあるアーチ部が歩行者の足裏の足弓部の曲面形状に追随するようにして当接する結果、靴と足とを違和感なく一体化させることができる。
【００３７】
しかも、踵部を着地させた際に足が外側に流れる傾向にあっても、矯正中敷きの第１厚肉部を介して踵部に位置する骨を安定的に支えることができ、靴の中での踵部の滑りをなくすることができる。
【００３８】
さらに、歩行者による一連の歩行動作中においても足が外側に流れようとする傾向があるものの、第２厚肉部を介して第５中足骨部位の足裏部を下支えさせることにより、外側に流れようとする足の動きを止めることができる。しかも、可撓性樹脂成型体が内側縁から外側縁へと次第にその肉厚が相対的に厚くなるようにして形成されている場合には、足が外側に流れようとする動きをより効果的に止めることができる。
【００３９】
また、矯正中敷きのドーム部に中足骨の基端側中央部分が位置する足裏部を当接させることにより、つま先で蹴りあげる際においても該つま先に大きな負担をかけることなく足裏部を支持させることができる。
【００４０】
このため、歩行者は、矯正中敷きにより足の骨格の弱い部位を支持させながら、体重移動をスムーズにしてバランスのとれた正常な歩行ができるので、外反拇趾などの足指の変形のほか、膝痛や腰痛、肩こりなどの身体の歪みに起因する諸症状の改善に有効に寄与させることができる。
【００４１】
なお、上記矯正中敷きを可撓性樹脂成型体のみで形成する場合には、単に成型するだけでその全体を形成することができるので、量産による製造コストの低減を実現することにより、その普及に大きく寄与させることができる。
【図面の簡単な説明】
【図１】  本発明の矯正中敷きを足と靴との配置関係のもとで例示する平面図。
【図２】  （イ）は図１のＡ−Ａ線横断面図を、（ロ）は同Ｂ−Ｂ線横断面図を、（ハ）は同Ｃ−Ｃ線横断面図を、（ニ）は同Ｄ−Ｄ線横断面図を、（ホ）は同Ｅ−Ｅ線横断面図を、（ヘ）は同Ｆ−Ｆ線横断面図を、（ト）は同Ｇ−Ｇ線縦断面図をそれぞれ示す。
【図３】  パンプスを例とする靴に対する矯正中敷きと足との間の具体的な配置関係を示す説明図。
【図４】  本発明の矯正中敷きと足裏との相互関係を示す説明図。
【図５】  従来からある矯正中敷きの一例を示す説明図。
【図６】  従来からある矯正中敷きの他例を示す説明図。
【符号の説明】
１１  矯正中敷き
１１ａ  表面
１１ｂ  裏面
１２  可撓性樹脂成型体
１２ａ  基端部
１２ｂ  先端部
１２ｃ  近傍側縁部
１３  上面
１４  下面
１５，１５ａ，１５ｂ，１５ｃ，１５ｄ，１５ｅ，１５ｆ  内側縁
１６，１６ａ，１６ｂ，１６ｃ，１６ｄ，１６ｅ，１６ｆ  外側縁
１７  凹面部
１８  第１厚肉部
１９  アーチ部
１９ａ  始端
１９ｂ  終端
２１  ドーム部
２１ａ  外縁部
２２  第２厚肉部
２５  被覆体
２６  上面被覆部
２７  下面被覆部
２８  通孔
２９  面ファスナー
２９ａ  フックテープ部
２９ｂ  ループテープ部
３１  足
３２  足裏
３３  踵部
３４  足裏部
３５  足弓部
３６，３７  足裏部
３８  つま先
Ｓ  靴
【図１】
0003805937.tif 000002
【図２】
0003805937.tif 000003
【図３】
0003805937.tif 000004
【図４】
0003805937.tif 000005
【図５】
0003805937.tif 000006
【図６】
0003805937.tif 000007